(57)【特許請求の範囲】
【請求項１】
電界放射型電子放出素子を備えたカソード板と、電子線励起蛍光面を備えた発光面板とを真空空間を介して対向して配置し、電子線励起蛍光面と電子放出素子との間に電圧を印加することにより、電子放出素子から放出された電子で電子線励起蛍光面を発光させる発光表示装置であって、前記カソード板および前記発光面板に、部分的に透光性もしくは透明性を持たせると共に、前記発光面板の不透明部に対向する位置のカソード板を透明構造とし、前記発光面板の透明部に対向する位置のカソード板を不透明構造として、その透光性もしくは透明性を有する部分の配置に特徴を持たせることによって、カソード板および発光面板の両側から発光表示を視認できるようにし、かつ、前記カソード板透明部を介して得られる発光と、前記発光面板透明部を介して得られる発光とをそれぞれ別個に制御したことを特徴とする発光表示装置。
【請求項２】
前記カソード板を構成するゲート層（電子引き出し層）とベース層をマトリックス状にパターニングすると共に、前記前記カソード透明部と前記発光面板透明部とを市松模様に配置することによって、発光面板側から見た文字または図形と、カソード板側から見た文字または図形とを異なる表示としたことを特徴とする請求項１記載の発光表示装置。
【請求項３】
前記発光面板の透明部と不透明部に対応する蛍光面の発光色を異なる発光色としたことを特徴とする請求項１から請求項２のいずれかに記載の発光表示装置。
【請求項４】
前記発光面板の透明部と不透明部をアノード層に形成すると共に、前記カソード板の透明部と不透明部をゲート層とベース層に形成したことを特徴とする請求項１から請求項３のいずれかに記載の発光表示装置。
【発明の詳細な説明】
【０００１】
【発明の属する技術分野】
本発明は、電界放射型の電子放出素子を用いた発光装置および発光表示装置に関するものである。
【０００２】
【従来の技術】
最近、平板型表示装置などの電子源として電界放射型の電子放出素子が採用されてきている。平板型表示装置では、面積の比較的大きい発光面に対して電子線を均一に照射することが要求されるから、この種の用途に用いる電子放出素子では、多数の電界放射型の陰極をアレイ状に配列した冷陰極アレイとして形成することが考えられている（Ｔｅｃｈｎｉｃａｌ  Ｄｉｇｅｓｔ  ｏｆ  ＩＶＭＣ  ９１，  Ｎａｇａｈａｍａ  １９９１，  ｐ．５０  ，（社）日本電子工業振興協会，真空マイクロエレクトロニクス調査報告書Ｉ，１９９２年３月，ｐ．３７等参照）。
【０００３】
電界放射型の電子放出素子の一例としては、図８に示すように、カソード基板１上に導電性のベース層２、絶縁体層３および電子引き出し層４（以下、ゲート層４という）を順次形成し、ゲート層４および絶縁体層３にベース層２まで達する穴を形成し、その穴にベース層２と電気的に接続されたエミッタ（陰極）５を配置してカソード板６を構成する。ここで、エミッタ４の先端部はゲート層４の穴の端部から約１μｍ以下の微小空隙を隔てた位置となるよう設定されている。また、上述したように、エミッタ５は一つのベース層２上に複数個が配置され、アレイ状をなしている。
【０００４】
一方、上記カソードを平面型表示素子として使用するには、蛍光面基板７上にアノード層８と電子線励起蛍光面９（以下、蛍光面９という）を順次形成して発光面板１０とし、この発光面板１０を真空空間を介してカソード板６に対向させる。
【０００５】
このように構成された平面型表示素子において、ベース層２に対して数１０Ｖ〜数１００Ｖ程度の正の電圧をゲート層４に印加すると、ベース層２と電気的に接続されたエミッタ５とゲート層４との間に、１０８  Ｖ／ｍ以上の高電界がかかり、電界電子放出によってエミッタ５の先端から電子が放出される。ここで、ベース層２に対して正の電圧をアノード層８に印加すると、放出された電子の大部分はアノード層８側に加速され、蛍光面９に衝突して蛍光面９が発光するといったシステムで動作する。
【０００６】
通常、ベース層２およびゲート層４にはクロムなどの金属膜を用いており、透光性を持たない。また、蛍光面基板７にガラスを、アノード層８として透明導電膜を使用し、蛍光面９で発生した光をアノード層８および蛍光面基板７を通して外部に取り出す構造となっている。
【０００７】
そして、ベース層２とゲート層４をパターニングし、蛍光面９も対応するようパターニングすることで、発光にパターンを持たせ表示素子としての機能を持たしている。ベース層２とゲート層４を互いに直交するストライプにパターニングすることでマトリックスを形成し、対応する蛍光面９も同様にマトリックスパターンとすることで、任意の図形や文字を表示する機能を持たせた表示素子が代表的な形態である。
【０００８】
このような平面型表示素子は、次のような特長を有している。
１．高効率であること
電子源として電界放射型の電子放出素子を使用しているため、電子放出のためのヒーター加熱などが不要であり、低消費電力であること。ひいては表示素子としても高効率が得られる。ＬＥＤ（数Ｖ，数１０ｍＡ）と比較した場合、この発光素子では駆動電圧が数１０Ｖ〜数１００Ｖと高いが、必要電流が数１０μＡ〜数ｍＡと小さいため、消費電力としてはＬＥＤと同程度かそれ以下とすることが可能である。
２．薄型であること
電子放出素子自体は数μｍと非常に薄く、カソード板６の厚さはほとんどカソード基板１と同程度であること。また、電子放出素子を広い面積にアレイ状に配置することで、放出された電子を偏向することなく蛍光面９に照射できるので、カソード板６と発光面板１０との距離を狭くすることができる。結果として、表示素子としての厚さは、カソード基板１と蛍光面基板７を合わせた厚さと同程度にまで薄くできる。
【０００９】
３．温度依存性が小さいこと
電界放出により電子を供給しているために、電子源の電子放出能は周囲温度にあまり依存しない。−４０℃ほどの低温でも安定した電子放出が可能である。ＬＥＤの場合は、８０℃付近を越えると輝度が１／３程度にまで劣化し、使用に耐えなくなるが、この発光素子の場合は、高温においては電子源の動作は数１００℃まで可能であり、むしろ基板ガラスや周辺部品の耐熱性、蛍光面９の温度消光によってその高温動作は上限が規定される。
【００１０】
４．発熱が小さいこと
特長の第１項目で示したように、この発光素子は電界放出で電子を発生させているために、電子源からの熱の発生はほとんどない。蛍光面９に突入した電子によってわずかに発熱する程度である。
【００１１】
【発明が解決しようとする課題】
しかしながら、従来の電界放射型電子放出素子を応用した発光表示素子では、ゲート層４とベース層２にクロムなどの金属膜を用い、アノード層８に透明導電膜などを用いることで、発光面板１０側に光を取り出し表示を行なう構成、もしくはゲート層４とベース層２に透明導電膜など透光性を有する膜を用い、アノード層８に金属膜を用いることでカソード板６側に光を採りだし表示を行なう構成であり、発光を取り出して表示ができるのは、発光面板１０側あるいはカソード板６側のいずれか一面のみであった。また、ゲート層４、ベース層２、アノード層８のいずれかの層が不透明であるため、発光素子、表示素子自体としても透明性、透光性が無いものであった。
【００１２】
さらに、上述のように、従来の電界放射型電子放出素子を応用した発光表示素子では、発光が取り出せるのはどちらか一方のみであり、このため、かかる発光表示素子を、例えば天井から吊り下げて使用する表示装置に用いた場合、その両側から見るという使用方法を提供できないという問題があった。
【００１３】
また、単にゲート層４、ベース層２、アノード層８を透明な導電性材料で構成し、両側から発光表示が見られる構造にしたとしても、発光面板１０側とカソード板６側とではパターンが左右反転するため、左右対称な図形ならば表示可能であるが、左右非対称な文字などの表示には使うことができないという問題があった。
【００１４】
本発明は、上記課題を解決するためになされたもので、その目的とするところは、発光面板側およびカソード板側のいずれの面からも発光を取り出して、両面で異なる文字や図形などの表示ができる発光表示装置を提供することにある。
【００１５】
【課題を解決するための手段】
上記課題を解決するため本発明は、電界放射型電子放出素子を備えたカソード板と、電子線励起蛍光面を備えた発光面板とを真空空間を介して対向して配置し、電子線励起蛍光面と電子放出素子との間に電圧を印加することにより、電子放出素子から放出された電子で電子線励起蛍光面を発光させる発光表示装置であって、前記カソード板および前記発光面板に、部分的に透光性もしくは透明性を持たせると共に、前記発光面板の不透明部に対向する位置のカソード板を透明構造とし、前記発光面板の透明部に対向する位置のカソード板を不透明構造として、その透光性もしくは透明性を有する部分の配置に特徴を持たせることによって、カソード板および発光面板の両側から発光表示を視認できるようにし、かつ、前記カソード板透明部を介して得られる発光と、前記発光面板透明部を介して得られる発光とをそれぞれ別個に制御したことを特徴とするものである。
【００１６】
【発明の実施の形態】
図１は本発明の一実施形態を示す模式図である。本発明に係る発光装置は、前記従来例と同様に、電界放射型電子放出素子を備えたカソード板６と、電子線励起蛍光面を備えた発光面板１０とを真空空間を介して対向して配置し、電子線励起蛍光面と電子放出素子との間に電圧を印加することにより、電子放出素子から放出された電子で電子線励起蛍光面を発光させる発光装置であり、以下に示すような特徴ある構成を有している。
【００１７】
この実施形態では、発光面板１０を構成する蛍光面基板７およびカソード板６を構成するカソード基板１に、それぞれガラスに代表される透明な材料を用いるとともに、絶縁体層３にシリカ、アルミナに代表される透明な材料を用い、ゲート層４には透明な導電性材料を用いる。蛍光面９としては、蛍光体紛体を塗布して不透明ながらも透光性膜とするか、蒸着法などによって透明性を有する均一蛍光性層を形成する。
【００１８】
また、アノード層８は透明導電膜よりなるアノード透明部８ａとアノード不透明部８ｂよりなり、アノード不透明部８に対向する位置のゲート層４およびベース層２は透明な構造（Ａ部）とし、アノード透明部８ａに対向する位置のゲート層４およびベース層２は不透明な構造（Ｂ部）とした。
【００１９】
このように構成することにより、上記Ａ部においては発光（つまりベース透明部２ａを介して得られる発光Ａ）はカソード板６側からのみ取り出され、上記Ｂ部においては発光（つまりアノード透明部８ａを介して得られる発光Ｂ）は発光面板１０側からのみ取り出される。
【００２０】
従って、ゲート層４およびベース層２を所定のパターンにパターニングすると共に、ベース透明部２ａを介して得られる発光Ａと、アノード透明部８ａを介して得られる発光Ｂとをそれぞれ別個に制御することによって、この発光表示装置の両側から表示を見ることができ、しかも、発光面板１０側から見た場合と、カソード板６側から見た場合が異なる表示とすることができる。
【００２１】
一例として、ゲート層４とベース層２をマトリックス状にパターニングし、図２に示すように、上記Ａ部とＢ部とを市松模様に配置することによって、発光面板１０側から見た文字と、カソード板６側から見た文字とを異なる表示とすることができる。単に両側に発光を取り出すのみの表示素子では、一方と他方から見たときの表示パターンは左右が反転してしまうため、左右対称な図形に対してしか用いることができない。しかしながら、この実施形態のように、交互に一方のみから発光を取り出す構造とすることによって、左右非対象な文字などの表示にも用いることができる。
【００２２】
なお、本発明においては、アノード層８、ゲート層４、ベース層２自体を直接不透明としなくても、蛍光面基板７やカソード基板１など他の部位を不透明とすることにより上記と同様の効果を奏するようにしてもよい。
【００２３】
また、上記Ａ部とＢ部の蛍光面９（アノード透明部８ａとアノード不透明部８ｂとに対応する蛍光面９）の発光色を変えることによって、発光面板１０側からとカソード板６側から見える発光の色を異なるものにすることもできる。
【００２４】
次に、図３〜図７を参照して本発明に係る実施の形態を更に詳細に説明する。図１に示す発光表示装置において、発光面板１０の形成は、図３に示すように、ガラス製の発光面基板７の上にクロム金属を蒸着し（アノード不透明部８ｂとなる）、それを市松模様にパターニングした後、全面に透明導電膜を蒸着した（アノード透明部８ａとなる）。さらにその上から蛍光体を塗布して蛍光面９を形成した。クロム層８ｂが残っている部分は、図３（ａ）に示すような断面構造となり、透光性を持たずむしろ反射性を持つ。クロム層を除去した部分は図３（ｂ）に示すような断面構造となり、透光性を持つ。
【００２５】
カソード板６は、ベース層パターン（図４（ａ）参照）に示すように、クロム金属層からなるベース層２をストライプ状で、かつ交互にメッシュ構造（ベースメッシュ部分２ａとベースベタ部分２ｂとよりなる）であるパターンとする。メッシュ部分２ａの線幅を空白部に対して十分に細く取ることによって、メッシュ部分２ａが十分な透明性を有するようにした。その上に絶縁体層３及びエミッタ５を形成する。ゲート層４もまたクロム蒸着膜からなり、ゲート層パターン（図４（ｂ）参照）に示すように、ベース層ストライプと直交する形でストライプ状とし、かつベース層のメッシュ構造と重なる形でメッシュ構造部分（ゲートメッシュ部分４ａとゲートベタ部分４ｂとよりなる）を形成する。
【００２６】
このように構成したカソード板６は、図５に示すメッシュ構造からなる透明部分と、図６に示すクロムベタ構造からなる不透明部分（反射部分）とが市松模様に分布した構造となっている。透明部分の平面構造と断面構造を図５に示し、反射部分の構造を図６に示す。また、ベース層ストライプとゲート層ストライプが互いに直交してマトリックスを形成しているので、任意のマトリックス部分から電子エミッションさせることが可能である。なお、図７（ａ）は発光面側のパターン（アノード透明部８ａとアノード不透明部８ｂとよりなる）を示し、図７（ｂ）はカソード面側のパターン（カソード透明部６ａとカソード不透明部６ｂとよりなる）を示す。
【００２７】
これらの発光面板１０とカソード板６とを図１に示すように対向させて、その間の空間を真空状態として発光表示装置を構成した。このとき、発光面板１０の反射部分の対面にはカソード板６の透明部分が配置され（Ａ部）、発光面板１０の透光性部分の対面にはカソード板６の反射部分が配置される（Ｂ部）ように対向させた。
【００２８】
このように構成された発光表示装置において、アノード層８に加速電圧を印加した状態で、カソード板６でマトリックス駆動を行なうと、上記Ａ部での発光はカソード板６側からのみドットパターンとして観察され、上記Ｂ部での発光は発光面板１０側からのみドットパターンとして観察された。
【００２９】
Ａ部とＢ部の発光パターンは、互いに独立して変化させることが可能であり、発光面板１０側とカソード板６側とで異なるパターンとすることができる。さらに、左右非対象な同じ図形を表示することで、発光面板１０側とカソード板６側とで左右が反転しない図形の観察が可能である。
【００３０】
【発明の効果】
請求項１の発明によれば、カソード板および発光面板に、部分的に透光性もしくは透明性を持たせると共に、その部分の配置に特徴を持たせているので、カソード板および発光面板の両側から発光表示を視認できる。また、発光面板の不透明部に対向する位置のカソード板を透明構造とし、発光面板の透明部に対向する位置のカソード板を不透明構造としたことにより、カソード板透明部を介して得られる発光は、カソード板側からのみ取り出され、発光面板透明部を介して得られる発光は、発光面板側からのみ取り出される。従って、カソード板側と発光面板側では異なる発光表示を視認できる。また、カソード板透明部を介して得られる発光と、発光面板透明部を介して得られる発光とをそれぞれ別個に制御したことにより、発光表示装置の両側から表示を見ることができ、しかも、発光面板側から見た場合と、カソード板側から見た場合が異なる表示とすることができる。
【００３３】
請求項２の発明によれば、発光面板側から見た文字または図形と、カソード板側から見た文字または図形とを異なる表示とすることができる。
【００３４】
請求項３の発明によれば、発光面板の透明部と不透明部に対応する蛍光面の発光色を異なる発光色としたことにより、発光面板側からとカソード板側から見える発光表示の色を異なるものにすることができる。
【図面の簡単な説明】
【図１】本発明に係る発光表示装置の一実施形態を示す模式図である。
【図２】上記発光表示装置の発光パターンを示すもので、（ａ）は発光面板側、（ｂ）はカソード板側である。
【図３】上記発光表示装置に係る発光面板の断面図で、（ａ）は不透明部分、（ｂ）は透明部分を示す。
【図４】（ａ）は上記発光表示装置に係るベース層のパターンを示し、（ｂ）はゲート層のパターンを示す。
【図５】上記発光表示装置に係るカソード板のカソード・メッシュ構造を示すもので、（ａ）は平面図、（ｂ）は断面図である。
【図６】上記発光表示装置に係るカソード板のカソード・不透明部構造を示すもので、（ａ）は平面図、（ｂ）は断面図である。
【図７】上記発光表示装置の発光パターンを示すもので、（ａ）は発光面側パターン、（ｂ）はカソード面側パターンである。
【図８】従来例を示す模式図である。
【符号の説明】
１    カソード基板
２    ベース層
３    絶縁体層
４    ゲート層（電子引き出し層）
５    エミッタ
６    カソード板
７    蛍光面基板
８    アノード層
９    電子線励起蛍光面（蛍光面）
１０    発光面板
【図１】
0003564922.tif 000002
【図２】
0003564922.tif 000003
【図３】
0003564922.tif 000004
【図４】
0003564922.tif 000005
【図５】
0003564922.tif 000006
【図６】
0003564922.tif 000007
【図７】
0003564922.tif 000008
【図８】
0003564922.tif 000009